(57)【要約】【課題】原稿画像の読み取り処理、および読み取った原稿画像を変倍して転写出力処理をおこなう際の作業を効率化すること。【解決手段】画像データ制御部１１０３内の主走査変倍器２００１にて画像データの主走査方向の拡大をおこなう際、その出力後に格納する圧縮用ラインＦＩＦＯ２００３のメモリ容量を、スキャンユニット２０８の主走査方向のサイズより大きくする。これにより、スキャンユニット２０８の主走査方向のサイズ一杯の原稿の拡大処理をおこなうことができるようになる。たとえば、圧縮用ラインＦＩＦＯ２００３のメモリ容量を、８ビット×７．５ｋｗｏｒｄから８ビット×１０ｋｗｏｒｄにする。【選択図】      図７
2005033386.tif 000002
【特許請求の範囲】
【請求項１】
原稿の転写出力をおこなう画像処理装置において、
前記原稿を所定の読み取り範囲で読み取って画像データを出力する読み取り手段と、
前記読み取り手段によって読み取った前記画像データに対して拡大あるいは縮小の変倍の処理を施す画像処理手段と、
前記読み取り手段の読み取り範囲より大きな画像データを格納するためのデータ格納量を有し、前記画像処理手段により前記画像データが拡大された画像データを記憶する処理後記憶手段と、
を備えたことを特徴とする画像処理装置。
【請求項２】
前記処理後記憶手段は、前記読み取り手段によって読み取ることができる読み取り範囲の１ライン分の主走査方向の最大長より長い画像データを格納するためのデータ格納量を有し、前記画像処理手段が出力する画像データを記憶するラインメモリからなることを特徴とする請求項１に記載の画像処理装置。
【請求項３】
前記読み取り手段によって読み取ることができる読み取り範囲の１ライン分の主走査方向の画像データをそれぞれ記憶する複数のラインメモリからなる処理前記憶手段を備え、
前記画像処理手段は、前記処理前記憶手段によって記憶された前記画像データを１ラインごとに拡大あるいは縮小の変倍の処理を施し、
前記処理後記憶手段は、前記処理前記憶手段の各ラインメモリが記憶できる１ライン分の最大長より長い画像データを格納するためのデータ格納量をそれぞれ有し、前記画像処理手段が出力する画像データを記憶する複数のラインメモリからなることを特徴とする請求項１に記載の画像処理装置。
【発明の詳細な説明】
【０００１】
【発明の属する技術分野】
この発明は、複写機、ファクシミリ、プリンター、スキャナーなどの機能を複合したディジタル複合機などの画像処理装置にかかり、特に原稿画像の読み取りおよび転写の処理を効率的におこなうことができる画像処理装置に関する。
【０００２】
【従来の技術】
従来、ディジタル画像信号を転写紙に画像として再生する装置として、特にスキャナーから画像を読み込み、転写紙に画像の再生をおこなう画像処理装置がある（下記特許文献１参照。）。この画像処理装置に関して、以下説明をおこなう。
【０００３】
図１１は、従来の画像処理装置のシステム構成を示すブロック図である。図にはＭＦＰ（ディジタル複合機）の構成が記載されている。原稿を光学的に読み取る読み取りユニット１１０１は、原稿に対するランプ照射の反射光を、後述するミラー２０５〜２０７（図２参照）およびレンズ２０９（図２参照）により受光素子に集光する。受光素子（たとえば図２にて後述するＣＣＤ２１０など）は、センサーボードユニット１１０２に搭載され、ＣＣＤ２１０において電気信号に変換された画像信号はディジタル信号に変換された後、センサーボードユニット１１０２から出力される。
【０００４】
センサーボードユニット１１０２から出力される画像信号は画像データ制御部１１０３に入力される。機能デバイスおよびデータバス間における画像データの伝送は画像データ制御部１１０３が全て制御する。画像データ制御部１１０３は画像データに関し、センサーボードユニット１１０２と、パラレルバス１１０４と、画像処理プロセッサ１１０５との間のデータ転送と、全体制御を司るシステムコントローラ１１０６と、画像データに対するプロセスコントローラ１１０７間の通信をおこなう。上述したデータ転送の制御に必要なプログラムやデータは、ＲＯＭ１１１８や、ＲＡＭ１１１９に格納する。
【０００５】
センサーボードユニット１１０２から出力される画像データは、画像データ制御部１１０３に入力される。機能デバイスおよびデータバス間における画像データの伝送は、画像データ制御部１１０３が全て制御する。画像データ制御部１１０３は、画像データに関しセンサーボードユニット１１０２，パラレルバス１１０４，画像処理プロセッサ１１０５間のデータ転送と、全体制御を司るシステムコントローラ１１０６と、画像データに対するプロセスコントローラ１１０７間の通信をおこなう。
【０００６】
センサーボードユニット１１０２からの画像データは、画像データ制御部１１０３を経由して画像処理プロセッサ１１０５に転送され、光学系およびディジタル信号への量子化に伴う信号劣化（スキャナー系の信号劣化）を補正し、再度画像データ制御部１１０３へ出力される。
【０００７】
画像処理プロセッサ１１０５から画像データ制御部１１０３へ転送されたデータは、画像データ制御部１１０３から、パラレルバス１１０４を経由して画像メモリアクセス制御部１１０８に送られる。ここでは、システムコントローラ１１０６の制御に基づき、画像データと、メモリモジュール１１０９のアクセス制御、外部のＰＣ１１１０（パーソナルコンピュータ）のプリント用データの展開、画像メモリ有効活用のための画像データの圧縮や、伸張をおこなう。また、画像メモリアクセス制御部１１０８の設定や、読み取りユニット１１０１の制御をおこなうプログラムやデータは、ＲＯＭ１１１６や、ＲＡＭ１１１７に格納する。
【０００８】
画像メモリアクセス制御部１１０８へと送られたデータは、データ圧縮後、メモリモジュール１１０９へ蓄積され、蓄積データを必要に応じて読み出す。読み出したデータは伸張して本来の画像データに戻され、画像メモリアクセス制御部１１０８からパラレルバス１１０４経由で画像データ制御部１１０３へ戻される。
【０００９】
画像データ制御部１１０３から画像処理プロセッサ１１０５への転送後は、画質処理およびビデオデータ制御部１１１１でのパルス制御をおこない、作像ユニット１１１２において転写紙上に再生画像を形成する。画像データの流れにおいて、パラレルバス１１０４および画像データ制御部１１０３でのバス制御により、ＭＦＰの機能を実現する。
【００１０】
ＦＡＸ送信機能は、読み取った画像データに対し画像処理プロセッサ１１０５にて画像処理を実施し、画像データ制御部１１０３およびパラレルバス１１０４を経由してファクシミリ制御ユニット１１１３へ転送する。ファクシミリ制御ユニット１１１３にて通信網へのデータ変換をおこない、公衆回線１１１４へＦＡＸデータとして送信する。
【００１１】
ＦＡＸ受信は、公衆回線１１１４からの回線データをファクシミリ制御ユニット１１１３にて画像データへ変換し、パラレルバス１１０４および画像データ制御部１１０３を経由して画像処理プロセッサ１１０５へ転送される。この場合、特別な画質処理はおこなわず、ビデオデータ制御部１１１１においてドット再配置およびパルス制御をおこない、作像ユニット１１１２において転写紙上に再生画像を形成する。
【００１２】
そして、複数ジョブ、たとえばコピー機能、ＦＡＸ送受信機能、プリンター出力機能が並行に動作する状況において、読み取りユニット１１０１、作像ユニット１１１２およびパラレルバス１１０４使用権のジョブへの割り振りをシステムコントローラ１１０６およびプロセスコントローラ１１０７にて制御する。プロセスコントローラ１１０７は画像データの流れを制御し、システムコントローラ１１０６はシステム全体を制御し、各リソースの起動を管理する。ＭＦＰの機能選択は、操作パネル１１２０にて選択入力し、コピー機能、ＦＡＸ機能などの処理内容を設定する。
【００１３】
システムコントローラ１１０６とプロセスコントローラ１１０７は、パラレルバス１１０４、画像データ制御部１１０３、およびシリアルバス１１１５を介して相互に通信をおこなう。画像データ制御部１１０３内においてパラレルバス１１０４とシリアルバス１１１５とのデータインターフェースのためのデータフォーマット変換をおこなう。
【００１４】
図１２は、画像データ制御部の構成を示すブロック図である。画像データ入出力制御部１２０１はセンサーボードユニット１１０２からの画像データを入力し、画像処理プロセッサ１１０５に対してデータを出力する。画像データ入力制御部１２０２には、画像処理プロセッサ１１０５でスキャナー画像補正されたデータが入力される。入力データはパラレルバス１１０４での転送効率を高めるためにデータ圧縮部１２０３においてデータ圧縮され、データ変換部１２０４、パラレルデータＩ／Ｆ１２０５を介してパラレルバス１１０４へ送出される。
【００１５】
パラレルバス１１０４からパラレルデータＩ／Ｆ１２０５を介して入力される画像データは、バス転送のために圧縮されており、データ伸張部１２０６で伸張される。伸張された画像データは画像データ出力制御部１２０７において画像処理プロセッサ１１０５へ転送される。
【００１６】
また、シリアルデータＩ／Ｆ１２０８を有し、パラレルデータとシリアルデータの変換機能を併せ持つ。システムコントローラ１１０６はパラレルバス１１０４にデータを転送し、プロセスコントローラ１１０７はシリアルバス１１１５にデータを転送する。２つのコントローラの通信のためにデータ変換部１２０４はデータ変換をおこなう。シリアルデータＩ／Ｆ１２０９は、画像処理プロセッサ１１０５用に備えた他の系統であり、画像処理プロセッサ１１０５ともＩ／Ｆ可能である。処理の切り替え、処理手順の変更等はコマンド制御部１２１０において管理する。
【００１７】
ここで、上述したような画像データ制御部１１０３を備えた画像処理装置であるＭＦＰを用いて、図１３に示すような従来のＡ４サイズ原稿からＡ３サイズ転写画像を得る場合を考える。図１３は、複合機能ディジタル複写機の転写の一例を示す説明図である。用紙のＡ４サイズは、２１０ｍｍ×２９７ｍｍで、Ａ３サイズは２９７ｍｍ×４２０ｍｍであるため、Ａ４サイズの原稿からＡ３サイズの転写紙を得るには１４１％の拡大処理が必要であることを示している。
【００１８】
つぎに、図１４は、原稿読み取りユニットでＡ４サイズ原稿を横置きにした例を示した説明図である。図１４では、後述する原稿読み取りユニット２００（図２参照）のコンタクトガラス２０３（図２参照）の上面にＡ４サイズ原稿をＡ４横置きにセットした全体の概略図と、そのコンタクトガラス２０３を真上から見た図を矢印の先端に示している。原稿画像を等倍、すなわち１００％で読み取る場合は、主走査方向はそのままＣＣＤ２１０で読み取られた画像とし、副走査方向は後述するスキャンユニット２０８（図２参照）を予め決められた速度でスキャンすることによって実現することができる。
【００１９】
つぎに、原稿画像を拡大する場合は、主走査方向は画像処理により拡大し、副走査方向はスキャンユニット２０８を等倍のときよりもゆっくりと移動させることによって、単位時間内に得られる画像のライン数を増やすことができ、拡大を実現できる。一方、原稿画像を縮小する場合は、主走査方向は画像処理により縮小し、副走査方向はスキャンユニット２０８が等倍のときよりも速く移動させることによって単位時間内に得られる画像のライン数を減らすことができ、縮小を実現できる。
【００２０】
ところが、Ａ４サイズからＡ３サイズに拡大する場合、コンタクトガラス２０３面を真上から見た図に示すように、原稿をコンタクトガラス２０３に置くと主走査方向は原稿読み取りユニット２００のほぼ最大サイズに近く、また画像処理システム内では通常原稿読み取りユニット２００の主走査方向の最大サイズまでしか処理できない。よって、Ａ４サイズからＡ３サイズへの拡大をすることができない。
【００２１】
一方、図１５は、原稿読み取りユニットでＡ４サイズ原稿を縦置きにした例を示した説明図である。図１５では、原稿読み取りユニット２００のコンタクトガラス２０３にＡ４サイズ原稿をＡ４縦置きにセットした全体の概略図と、そのコンタクトガラス２０３を真上から見た図を矢印の先端に示している。Ａ４サイズの原稿を、Ａ３サイズに拡大したい場合、上述した図１４に示したような置き方をした場合には、図１５に示すような向きに原稿を置き直す必要が生じる。この置き方はＡ４縦置きと呼んでおり、図１５に示すように主走査方向に余裕があり、Ａ３サイズの主走査サイズまで拡大が可能となる。
【００２２】
この場合のＡ４サイズ原稿からＡ３サイズ画像を得る順序は、図１６に示すようにおこなわれる。図１６は、複合機能ディジタル複写機の転写する方向の順序の一例を示す説明図である。まず、原稿読み取りユニット２００内の、後述するスキャンユニット２０８（図２参照）を、等倍のときよりも遅く移動させることで副走査、つまりライン方向に対して１４１％の拡大をおこない、つぎに、後述する図２に示す画像処理システム２１１内の画像処理により主走査方向の１４１％の拡大をおこなうことによって、最終的にＡ３サイズの画像を得ることになる。
【００２３】
図１７は、画像データの圧縮の領域の一例を示した説明図である。図１２に示した画像データ制御部１１０３は、入力された画像データに対してデータ圧縮部１２０３にて圧縮をおこなう。このとき、図１７に示す画素領域１７００のように、たとえば主走査（画素）方向に４画素、副走査（ライン）方向に４ラインからなる４画素×４ラインの矩形領域の画素を逐次読み込み、圧縮処理をおこなう。
【００２４】
ここで圧縮される領域は、４×４の１６画素ごととしているが、他に動画像圧縮標準のＭＰＥＧ方式で採用されている離散コサイン変換であるＤＣＴ（Ｄｉｓｃｒｅｔｅ  Ｃｏｓｉｎｅ  Ｔｒａｎｓｆｏｒｍ）などでは８×８の６４画素としており、圧縮対象領域サイズ、圧縮方法などは、アプリケーションによって異なる。以下、本実施の形態では、図１７に示す４画素×４ラインの矩形領域に対し圧縮処理をおこなう場合について説明する。
【００２５】
図１８は、ラインＦＩＦＯとデータ圧縮部の構成の一例を示す概要図である。図１８は、データ圧縮部１２０３に対して、ライン１を介してラインＦＩＦＯ１８００ａと、ライン２を介してラインＦＩＦＯ１８００ｂと、ライン３を介してラインＦＩＦＯ１８００ｃと、ライン４とが並列に接続されている。図１７に示した画像データの各ラインデータが、ラインＦＩＦＯ１８００およびライン４に対して送出され、データ圧縮部１２０３にて圧縮処理される。ここで、ラインＦＩＦＯ１８００は、シリアルアクセスメモリであり、画像データや、ＴＶ信号を１フィールド単位のディジタルデータとして記録し、画像処理するために用いるメモリである。
【００２６】
図１９は、ラインＦＩＦＯとデータ圧縮部の構成によるタイミングチャートを示した説明図である。図１８に示した構成の動作を、実際の動きとして図１９のタイミングチャートに示している。まず、ライン１データをラインＦＩＦＯ１８００ａに、ライン２データをラインＦＩＦＯ１８００ｂに、ライン３データをラインＦＩＦＯ１８００ｃに各々ライトする。そして、つぎのライン４データの読み込み時に、このライン４データと、ラインＦＩＦＯ１８００ａからリードされたライン１データと、ラインＦＩＦＯ１８００ｂからリードされたライン２データと、ラインＦＩＦＯ１８００ｃよりリードされたライン３データとをデータ圧縮部１２０３に入力し、圧縮データを得るように制御する。
【００２７】
つぎに、ライン５データはラインＦＩＦＯ１８００ａに、ライン６データはラインＦＩＦＯ１８００ｂに、ライン７データはラインＦＩＦＯ１８００ｃにライトし、つぎのライン８データのリード時に、このライン８データとラインＦＩＦＯ１８００ａからリードされたライン５データと、ラインＦＩＦＯ１８００ｂからリードされたライン６データと、ラインＦＩＦＯ１８００ｃからリードされたライン７データをデータ圧縮部１２０３に入力し、圧縮データを得る。以後、以上の操作を繰り返すことにより、次々と入力される画像ラインデータの圧縮データを得ることができる。
【００２８】
図２０は、画像データ制御部内の画像データの主走査変倍と圧縮をおこなう構成の一例を示す概要図である。このときの副走査方向の変倍は、副走査方向のラインの読み取り速度を変えることで実現する。主走査変倍器２００１に入力されるラインデータは、画像データ入力制御部１２０２より送出される。このデータは、１画素８ビットで、用紙Ａ４サイズの長手サイズ分、すなわち通常２９７ｍｍであり、６００ｄｐｉの読み取り解像度では、約７０１６画素となり、最大で８ビット×７．５ｋｐｉｘｅｌとなる。ここでｄｐｉとは、ｄｏｔ  ｐｅｒ  ｉｎｃｈの略で、１インチ（約２５．４ｍｍ）あたり６００ドットで表す解像度を示している。
【００２９】
主走査変倍器２００１にて変倍した後のデータは、圧縮をおこなうためにその３ライン分は圧縮用ラインＦＩＦＯ２００３ａ，ｂ，ｃから構成される圧縮用ラインＦＩＦＯ２００３にそれぞれ格納される。そして、４ライン目が入力されると同時に圧縮器２００２に送出されて圧縮がおこなわれ、圧縮後のデータは圧縮データ格納用ラインＦＩＦＯ２００４に格納され、データ変換部１２０４へと送出される。
【００３０】
このときの圧縮用ラインＦＩＦＯ２００３の各容量は、スキャンユニット２０８の最大読み取りサイズ、すなわち読み取り原稿の最大サイズが用紙Ａ３サイズの場合、Ａ３サイズの短い方のサイズの２９７ｍｍ分の画像を格納可能な８ビット×７．５ｋｗｏｒｄとなる。Ａ３サイズの短い方のサイズは、Ａ４サイズの長手方向のサイズと一致する。以上のような構成では、主走査変倍後の画像サイズは最大２９７ｍｍとなる。
【００３１】
図２１は、副走査方向の変倍に変倍回路を用いる構成の一例を示す概要図である。図２１では、副走査方向の変倍をスキャンユニット２０８の移送速度を変えることで実現するのではなく、主走査変倍と同様に変倍回路によって実現する場合を示している。前述した図２０と異なるのは、主走査変倍器２００１の前に、変倍用ラインＦＩＦＯ２１０２ａ，ｂ，ｃから構成される変倍用ラインＦＩＦＯ２１０２と、副走査変倍器２１０１とを追加した点にある。副走査変倍も前述した圧縮方式の場合と同様に、４ライン分の画像データを副走査変倍器２１０１に入力し、変倍した画像データを得る。
【００３２】
つぎに、主走査変倍器２００１にて変倍した後のデータは、圧縮をおこなうためにその３ライン分は圧縮用ラインＦＩＦＯ２００３ａ，ｂ，ｃから構成される圧縮用ラインＦＩＦＯ２００３にそれぞれ格納される。そして、４ライン目が入力されると同時に圧縮器２００２に送出されて圧縮がおこなわれ、圧縮後のデータは圧縮データ格納用ラインＦＩＦＯ２００４に格納され、データ変換部１２０４へと送出される。上述した副走査変倍の様子を表すタイミングチャートを図２２に示す。
【００３３】
図２２は、副走査変倍器にて等倍の出力結果を得る場合の一例を示したタイミングチャート図である。ＦＧＡＴＥは、フレームゲートのことで、原稿の副走査方向の有効期間を示す信号である。ＬＧＡＴＥ１は、副走査変倍器２１０１に入力されるラインデータの有効期間を示す。ＤＡＴＡ１は、副走査変倍器２１０１に入力されるラインデータを示す。ＬＧＡＴＥ２は、副走査変倍後のラインデータの有効期間を示す。ＤＡＴＡ２は、副走査変倍器２１０１の出力を示す。図２２の等倍の場合は、副走査変倍器２１０１の出力間隔が入力のライン間隔と同じであるため、等倍になることがわかる。
【００３４】
図２３は、副走査変倍器にて拡大した出力結果を得る一例を示したタイミングチャート図である。この場合、副走査変倍器２１０１の出力は、副走査変倍器２１０１の入力よりも出力間隔が短くなり、ラインデータの数が増えるため、出力結果が拡大されることがわかる。
【００３５】
図２４は、副走査変倍器にて縮小した出力結果を得る一例を示したタイミングチャート図である。この場合、副走査変倍器２１０１の出力は、副走査変倍器２１０１の入力よりも出力間隔が長くなり、ラインデータの数が減少するため、出力結果が縮小されることがわかる。
【００３６】
上述した図２２〜２４の例は、図２１の構成で示した副走査変倍器２１０１によって副走査方向の、等倍、拡大、縮小の変倍処理をおこなうものであった。そして、この副走査変倍器２１０１にて変倍したデータは、引き続き主走査変倍器２００１に入力され、主走査方向の変倍が実行される。よって副走査変倍器２１０１より後の処理は、図２０で示したものと同様となる。
【００３７】
【特許文献１】
特開２０００−３１６０６３号公報
【００３８】
【発明が解決しようとする課題】
しかしながら、特許文献１に開示された画像処理装置においては、主走査方向のラインデータを変倍した後に格納する圧縮用ラインＦＩＦＯ２００３のメモリサイズが、読み取りユニット１１０１で読み取ることができる主走査方向の最大サイズ分となっているため、主走査方向のサイズをそれ以上拡大処理することができない。これによって、たとえば、Ａ４サイズの原稿をＡ３サイズに拡大したい場合、スキャンユニット２０８に対してＡ４原稿を横置きにしたまま拡大処理をおこなうことができず、Ａ４縦置きに置き変えなくてはならない問題がある。
【００３９】
また、上述したＡ４原稿をＡ３サイズに拡大する際に、Ａ４原稿を全て縦置きにしなくてはならない制約があると、Ａ４原稿の長手方向の距離分スキャンユニット２０８を移動させなくてはならなくなる。スキャンユニット２０８の移送距離が長くなると、原稿一枚に費やす読み取りのスピードが増加してしまうという問題がある。
【００４０】
この発明は、上述した従来技術に鑑みてなされたものであって、原稿画像の読み取り処理、および読み取った原稿画像を変倍処理して転写出力処理をおこなう際の作業の効率化を図ることができる画像処理装置を提供することを目的とする。
【００４１】
【課題を解決するための手段】
上述した課題を解決し、目的を達成するため、請求項１の発明にかかる画像処理装置は、原稿の転写出力をおこなう画像処理装置において、前記原稿を所定の読み取り範囲で読み取って画像データを出力する読み取り手段と、前記読み取り手段によって読み取った前記画像データに対して拡大あるいは縮小の変倍の処理を施す画像処理手段と、前記読み取り手段の読み取り範囲より大きな画像データを格納するためのデータ格納量を有し、前記画像処理手段により前記画像データが拡大された画像データを記憶する処理後記憶手段と、を備えたことを特徴とする。
【００４２】
また、請求項２の発明にかかる画像処理装置は、請求項１に記載の発明において、前記処理後記憶手段は、前記読み取り手段によって読み取ることができる読み取り範囲の１ライン分の主走査方向の最大長より長い画像データを格納するためのデータ格納量を有し、前記画像処理手段が出力する画像データを記憶するラインメモリからなることを特徴とする。
【００４３】
また、請求項３の発明にかかる画像処理装置は、請求項１に記載の発明において、前記読み取り手段によって読み取ることができる読み取り範囲の１ライン分の主走査方向の画像データをそれぞれ記憶する複数のラインメモリからなる処理前記憶手段を備え、前記画像処理手段は、前記処理前記憶手段によって記憶された前記画像データを１ラインごとに拡大あるいは縮小の変倍の処理を施し、前記処理後記憶手段は、前記処理前記憶手段の各ラインメモリが記憶できる１ライン分の最大長より長い画像データを格納するためのデータ格納量をそれぞれ有し、前記画像処理手段が出力する画像データを記憶する複数のラインメモリからなることを特徴とする。
【００４４】
【発明の実施の形態】
以下に添付図面を参照して、この発明にかかる画像処理装置の好適な実施の形態を詳細に説明する。
【００４５】
図１は、複合機能ディジタル複写機の概観図である。図１に示す複合機能ディジタル複写機１００は、自動原稿送り装置１０１（ＡＤＦ）と、操作ボード１０２（ＯＰＢ）と、スキャナー１０３（ＳＣＲ）と、プリンター１０４（ＰＴＲ）と、フィニッシャと、給紙バンクの各ユニットで構成されている。フィニッシャは、ステープラ、および作像された用紙を搭載可能となっている。複合機能ディジタル複写機１００内の画像データ処理装置には、ＬＡＮなどのネットワークを介してＰＣ１０５（パーソナルコンピュータ）が接続され、また、図１１に示したファクシミリ制御ユニット１１１３には、公衆回線１１１４を介して交換機１０６（ＰＢＸ）が接続されている。プリンター１０４にてプリント済みの用紙は、排紙トレイの上、またはフィニッシャに排出される。
【００４６】
図２は、原稿読み取りユニットの構成を示した概要図である。原稿読み取りユニット２００は、原稿台２０２に置かれた原稿２０１を、一枚ずつコンタクトガラス２０３に給紙し、原稿２０１の上面の画像を読み取る。原稿読み取りユニット２００は、原稿２０１を光学的に読み取るスキャンユニット２０８を設けている。スキャンユニット２０８内では、光源２０４から発する光により原稿の反射画像を得て、ミラー２０５、ミラー２０６、ミラー２０７へと順に画像を送る。そして、レンズ２０９を通して、センサーボードユニット１１０２内に設けられている、たとえばＣＣＤ２１０などの受光素子によって電気信号に変換し、画像処理システム２１１へと送出する。さらに、原稿２０１全面の画像を得るには、スキャンユニット２０８が原稿２０１の下を移動し、スキャンすることによっておこなう。
【００４７】
つぎに、本実施の形態で説明をおこなう画像処理装置の構成は、従来技術にて記載したＭＦＰの構成（図１１）と同様であり、さらに、従来技術にて記載した画像データ制御部１１０３の構成についても同様である。以下、図３〜６では、従来技術で記載しなかったＭＦＰ内の他の構成について説明をおこなう。
【００４８】
図３は、画像処理プロセッサの構成を示すブロック図である。読み取り画像は、センサーボードユニット１１０２、画像データ制御部１１０３を介して画像処理プロセッサ１１０５の入力Ｉ／Ｆ３０１からスキャナー画像処理部３０２へ伝達される。スキャナー画像処理部３０２は、読み取り画像データの劣化補正を目的として、シェーディング補正、スキャナーγ補正、ＭＴＦ補正などをおこなう。補正処理ではないが、拡大／縮小の変倍処理もおこなう。読み取り画像データの補正処理終了後には、出力Ｉ／Ｆ３０３を介して画像データ制御部１１０３へ画像データを転送する。
【００４９】
転写紙への出力は、画像データ制御部１１０３からの画像データを入力Ｉ／Ｆ３０４より受け、画質処理部３０５において面積階調処理をおこなう。画質処理後のデータは出力Ｉ／Ｆ３０６を介してビデオデータ制御部１１１１へ出力される。面積階調処理は、濃度変換、ディザ処理、誤差拡散処理等があり、階調情報の面積近似を主な処理とする。一旦、スキャナー画像処理された画像データをメモリに蓄積しておけば、画質処理を変えることによって種々の再生画像を確認することができる。
【００５０】
たとえば、再生画像の濃度を振ってみたり、ディザマトリクスの線数を変更してみることにより、再生画像の雰囲気を変更できる。この際、処理を変更する度に画像を読み取りユニット１１０１から読み込み直す必要はなく、メモリモジュール１１０９から格納画像を読み出せば同一データに対し、何度でも異なる処理を実施できる。
【００５１】
また、単体スキャナーの場合、スキャナー画像処理と階調処理を合せて実施し、画像データ制御部１１０３へ出力する。処理内容はプログラマブルに変更可能である。処理の切り替え、処理手順の変更等はコマンド制御部３０７において管理する。
【００５２】
図４は、ビデオデータ制御部の構成を示すブロック図である。入力される画像データに対し作像ユニット１１１２の特性に応じて追加の処理をおこなう。たとえば、エッジ平滑処理部４０１でのエッジ平滑処理によるドットの再配置処理や、パルス制御部４０２でのドット形成のための画像データのパルス制御をおこない、画像データは作像ユニット１１１２を対象として出力される。画像データの変換とは別に、パラレルデータＩ／Ｆ４０３とシリアルデータＩ／Ｆ４０４およびデータ変換部４０５を有し、パラレルデータとシリアルデータのフォーマット変換機能を有し、ビデオデータ制御部１１１１単体でもシステムコントローラ１１０６とプロセスコントローラ１１０７の通信に対応できる。
【００５３】
図５は、画像メモリアクセス制御部の構成を示すブロック図である。パラレルデータＩ／Ｆ部５０１は、パラレルバス１１０４との画像データのインターフェースを管理する。構成的にはメモリモジュール１１０９への画像データの格納／読み出しと、主に外部のＰＣ１１１０から入力されるコードデータの画像データへの展開を制御する。入力されたコードデータは、ラインバッファー５０２においてローカル領域でのデータの格納をおこなう。ラインバッファー５０２に格納されたコードデータは、システムコントローラＩ／Ｆ５０３を介して入力されたシステムコントローラ１１０６からの展開処理命令に基づき、ビデオ制御部５０４において画像データに展開される。
【００５４】
展開された画像データ、もしくはパラレルデータＩ／Ｆ５０１を介してパラレルバス１１０４から入力された画像データは、メモリモジュール１１０９に格納される。この場合、データ変換部５０５において格納対象となる画像データを選択し、データ圧縮部５０６においてメモリ使用効率を上げるためにデータの２次圧縮をおこない、メモリアクセス制御部５０７にてメモリモジュール１１０９のアドレスを管理しながらメモリモジュール１１０９に画像データを格納する。
【００５５】
メモリモジュール１１０９に格納された画像データの読み出しは、メモリアクセス制御部５０７にて読み出し先アドレスを制御し、読み出された画像データをデータ伸張部５０８にて伸張する。伸張された画像データをパラレルバス１１０４へ転送する場合、パラレルデータＩ／Ｆ５０１を介してデータ転送をおこなう。
【００５６】
図６は、ファクシミリ制御ユニットの構成を示すブロック図である。ファクシミリ制御ユニット１１１３は、画像データを通信形式に変換して外部の通信回線に送信し、また、外部からのデータを画像データに戻して外部Ｉ／Ｆ部６０１およびパラレルバス１１０４を介して作像ユニット１１１２から記録出力する。このファクシミリ制御ユニット１１１３は、ＦＡＸ画像処理部６０２，画像メモリ６０３，メモリ制御部６０４，ファクシミリ制御部６０５，画像圧縮伸張部６０６，モデム６０７および網制御装置６０８を有している。
【００５７】
そして、ＦＡＸ画像処理に関し、受信画像に対する二値スムージング処理は、ビデオデータ制御部１１１１のエッジ平滑処理部４０１においておこなう。また、画像のメモリ機能、特に出力バッファー機能に関しては、画像メモリアクセス制御部１１０８およびメモリモジュール１１０９がその機能の一部を実行する。
【００５８】
このように構成されたファクシミリ制御ユニット１１１３では、画像情報の伝送を開始するとき、ファクシミリ制御部６０５がメモリ制御部６０４に指令し、画像メモリ６０３から蓄積している画像情報を順次読み出させる。読み出された画像情報は、ＦＡＸ画像処理部６０２によって元の信号に復元されるとともに、密度変換処理および変倍処理がなされ、ファクシミリ制御部６０５に加えられる。ファクシミリ制御部６０５に加えられた画像データは、画像圧縮伸張部６０６によって符号圧縮化され、モデム６０７によって変調された後、網制御装置６０８から通信回線を介して宛先へ送出される。そして、送信が完了した画像情報は、画像メモリ６０３から削除される。
【００５９】
受信時には、受信画像は一旦画像メモリ６０３に蓄積され、そのときに受信画像を記録出力可能であれば、一枚分の画像の受信を完了した時点で記録出力される。また、複写動作時に発呼されて受信を開始したときは、画像メモリ６０３の使用率が所定値、たとえば８０％に達するまでは画像メモリ６０３に蓄積し、画像メモリ６０３の使用率が８０％に達した場合には、そのときに実行している書き込み動作を強制的に中断し、受信画像を画像メモリ６０３から読み出し、記録出力させる。
【００６０】
このとき、画像メモリ６０３から読み出した受信画像は、画像メモリ６０３から削除し、画像メモリ６０３の使用率が所定値、たとえば１０％まで低下した時点で中断していた書き込み動作を再開させ、その書き込み動作を全て終了した時点で、残りの受信画像を記録出力させている。また、書き込み動作を中断した後に、再開できるように中断時に於ける書き込み動作のための各種パラメータを内部的に退避させ、再開時に、パラメータを内部的に復帰させる。
【００６１】
図７は、画像データ制御部内の画像データの主走査変倍と圧縮をおこなう構成の一例を示す概要図である。従来構成の図２０と異なるのは主走査変倍器２００１の出力の圧縮用ラインＦＩＦＯ２００３の各容量を、８ビット×７．５ｋｗｏｒｄから８ビット×１０ｋｗｏｒｄに増やした点である。画素データを２５６階調の８ビットで表す場合、従来例の図１９では、主走査変倍後のラインデータとして７．５ｋすなわち７５００画素までしか取り扱えなかったのに比べ、図７では主走査変倍後のラインデータとして１０ｋすなわち１００００画素まで取り扱うことができるようになる。
【００６２】
このことにより、主走査変倍器２００１から出力される主走査画像サイズを、スキャナー１０３にて読み込まれる主走査最大サイズよりも大きくできるため、たとえば、Ａ４サイズの原稿からＡ３サイズに拡大した画像を得る場合、従来は図１５に示すように、スキャンユニット２０８のコンタクトガラス２０３に読み取り原稿をＡ４縦置きに置かなければ実現できなかったが、図１４に示すようにＡ４横に置いてもＡ３サイズへの拡大が可能となる。
【００６３】
また、Ａ４サイズ原稿を縦置きにしてＡ３サイズまで拡大する場合、図２に示す原稿読み取りユニット２００内のスキャンユニット２０８を、Ａ４サイズの長手のサイズ分、すなわち約２９７ｍｍ移動させる必要があった。しかし、Ａ４サイズ原稿を横置きにした状態でＡ３サイズへの拡大ができるようになると、原稿読み取りユニット２００内のスキャンユニット２０８の移送距離は、Ａ４原稿の短い辺である約２１０ｍｍとなり、Ａ４縦置きに比べスキャンユニット２０８の移送距離を約８７ｍｍ短くできる。
【００６４】
図８は、副走査方向の変倍に変倍回路を用いる構成の一例を示す概要図である。図８では、副走査変倍を画像処理によりおこなう場合の実施例で、副走査変倍の動作は変倍用ラインＦＩＦＯ２１０２にておこなう従来構成の図２１で示したものと同様となる。また、主走査変倍以降の動作は、圧縮用ラインＦＩＦＯ２００３にておこなう図７で示したものと同様である。
【００６５】
図９は、Ａ４縦置きにて連続して原稿を読み取る一例を示したタイミングチャート図である。ＦＧＡＴＥは、原稿ごとの画像データ転送時間を示す。Ａ４サイズからＡ３サイズに拡大する場合、ＦＧＡＴＥで示される画像データ転送時間はＡ４サイズの長手サイズ分となる。この後、原稿と原稿との間となる紙間時間があり、原稿画像データの転送時間と紙間時間を足した時間が原稿を読み取るスピードを示す原稿画像データの転送サイクル時間となる。
【００６６】
図１０は、Ａ４横置きにて連続して原稿を読み取る一例を示したタイミングチャート図である。図９と同様、ＦＧＡＴＥは原稿ごとの画像データ転送時間を示す。この場合、Ａ４サイズからＡ３サイズに拡大するときのＦＧＡＴＥで示される画像データ転送時間は、Ａ４サイズの長手サイズ約２９７ｍｍでなく、Ａ４サイズの短い方のサイズ分、すなわち２１０ｍｍとなり、前述のＡ４縦置きと比較して、約８７ｍｍ短くなる。このことによって、原稿をＡ４サイズからＡ３サイズに拡大処理する場合、Ａ４横置きの状態でおこなう方が読み取り距離が少なく、時間を短縮することができることがわかる。
【００６７】
なお、本発明は、上述した図１３などに示したＡ４サイズ原稿からＡ３サイズ転写画像を得る場合に限るものではなく、スキャナー１０３が読み込むことができる原稿サイズの最大値によって決定される。他の、たとえばＢ５サイズ原稿からＢ４サイズ転写画像を得る場合など、ＪＩＳ規格で定められた紙加工仕上寸法などの表に記載されたサイズであれば良い。
【００６８】
以上説明したように、本実施の形態によれば、画像データ制御部１１０３における主走査変倍器２００１の出力データを格納する圧縮用ラインＦＩＦＯ２００３の容量を、スキャンユニット２０８の主走査方向のサイズより大きくすることにより、従来不可能であったスキャンユニット２０８の主走査方向の最大サイズを要する原稿の拡大処理をおこなうことができる。たとえば、主走査変倍器２００１の出力のラインデータを格納する圧縮用ラインＦＩＦＯ２００３の各容量を、８ビット×７．５ｋｗｏｒｄから、８ビット×１０ｋｗｏｒｄにすることによって、Ａ４横置きにした原稿から、Ａ３サイズへの拡大処理をそのままおこなうことができるようになる。
【００６９】
また、上述したように、Ａ４横置きからＡ３サイズへ直接拡大することが可能となると、Ａ４縦置きの原稿をＡ３サイズへ拡大する際にスキャンユニット２０８の移動距離は約２９７ｍｍを要するが、Ａ４横置きの状態のままであれば、縦置きの場合より約８７ｍｍ短い、約２１０ｍｍへと短縮することが可能となる。これにより、一枚あたりの原稿画像データの転送サイクル時間を短くすることができ、連続して大量の原稿を読み取る場合の、一枚あたりの読み取り速度を上げることができるため、スキャンユニット２０８の性能を示す１分間あたりに読み取れる原稿の枚数であるＳＰＭ（Ｓｃａｎ  Ｐｅｒ  Ｍｉｎｕｔｅ）を向上させることが可能となる。さらに、原稿の読み取り時間を短縮することによって、原稿読み取りに費やすユーザの待ち時間などを減少することができ、作業の効率化を図ることができる。
【００７０】
【発明の効果】
以上説明したように、本発明によれば、原稿画像の読み取り処理、および読み取った原稿画像を変倍処理して転写出力処理をおこなう際の作業の効率化を図ることができる画像処理装置が得られるという効果を奏する。
【図面の簡単な説明】
【図１】複合機能ディジタル複写機の概観図である。
【図２】原稿読み取りユニットの構成を示した概要図である。
【図３】画像処理プロセッサの構成を示すブロック図である。
【図４】ビデオデータ制御部の構成を示すブロック図である。
【図５】画像メモリアクセス制御部の構成を示すブロック図である。
【図６】ファクシミリ制御ユニットの構成を示すブロック図である。
【図７】画像データ制御部内の画像データの主走査変倍と圧縮をおこなう構成の一例を示す概要図である。
【図８】副走査方向の変倍に変倍回路を用いる構成の一例を示す概要図である。
【図９】Ａ４縦置きにて連続して原稿を読み取る一例を示したタイミングチャート図である。
【図１０】Ａ４横置きにて連続して原稿を読み取る一例を示したタイミングチャート図である。
【図１１】従来の画像処理装置のシステム構成を示すブロック図である。
【図１２】画像データ制御部の構成を示すブロック図である。
【図１３】複合機能ディジタル複写機の転写の一例を示す説明図である。
【図１４】原稿読み取りユニットでＡ４サイズ原稿を横置きにした例を示した説明図である。
【図１５】原稿読み取りユニットでＡ４サイズ原稿を縦置きにした例を示した説明図である。
【図１６】複合機能ディジタル複写機の転写する方向の順序の一例を示す説明図である。
【図１７】画像データの圧縮の領域の一例を示した説明図である。
【図１８】ラインＦＩＦＯとデータ圧縮部の構成の一例を示す概要図である。
【図１９】ラインＦＩＦＯとデータ圧縮部の構成によるタイミングチャートを示した説明図である。
【図２０】画像データ制御部内の画像データの主走査変倍と圧縮をおこなう構成の一例を示す概要図である。
【図２１】副走査方向の変倍に変倍回路を用いる構成の一例を示す概要図である。
【図２２】副走査変倍器にて等倍の出力結果を得る場合の一例を示したタイミングチャート図である。
【図２３】副走査変倍器にて拡大した出力結果を得る一例を示したタイミングチャート図である。
【図２４】副走査変倍器にて縮小した出力結果を得る一例を示したタイミングチャート図である。
【符号の説明】
２００  原稿読み取りユニット
２０１  原稿
２０２  原稿台
２０３  コンタクトガラス
２０４  光源
２０５，２０６，２０７  ミラー
２０８  スキャンユニット
２０９  レンズ
２１０  ＣＣＤ
２１１  画像処理システム
１１０１  読み取りユニット
１１０２  センサーボードユニット
１１０３  画像データ制御部
１１０４  パラレルバス
１１０５  画像処理プロセッサ
１１０６  システムコントローラ
１１０７  プロセスコントローラ
１１０８  画像メモリアクセス制御部
１１０９  メモリモジュール
１１１０  ＰＣ
１１１１  ビデオデータ制御部
１１１２  作像ユニット
１１１３  ファクシミリ制御ユニット
１１１４  公衆回線
１１１５  シリアルバス
１１１６，１１１８  ＲＯＭ
１１１７，１１１９  ＲＡＭ
１１２０  操作パネル
【図１】
2005033386.tif 000003
【図２】
2005033386.tif 000004
【図３】
2005033386.tif 000005
【図４】
2005033386.tif 000006
【図５】
2005033386.tif 000007
【図６】
2005033386.tif 000008
【図７】
2005033386.tif 000009
【図８】
2005033386.tif 000010
【図９】
2005033386.tif 000011
【図１０】
2005033386.tif 000012
【図１１】
2005033386.tif 000013
【図１２】
2005033386.tif 000014
【図１３】
2005033386.tif 000015
【図１４】
2005033386.tif 000016
【図１５】
2005033386.tif 000017
【図１６】
2005033386.tif 000018
【図１７】
2005033386.tif 000019
【図１８】
2005033386.tif 000020
【図１９】
2005033386.tif 000021
【図２０】
2005033386.tif 000022
【図２１】
2005033386.tif 000023
【図２２】
2005033386.tif 000024
【図２３】
2005033386.tif 000025
【図２４】
2005033386.tif 000026